(57)【要約】【課題】水が扉体を通り抜けることを抑制し、扉枠と扉体との間の隙間を防ぐための構造が簡単かつ安価な防水扉装置を提供する。【解決手段】扉体５による扉枠３の開口部４の閉鎖時に、扉枠と扉体との間をシールするシール部材と、扉体に回動可能に支持され扉体の前面及び後面に設けられた貫通孔から突出する操作軸とを設けた防水扉装置１で、操作軸の回動操作に伴って上下動可能で上端側が扉体の上方へ突出する上側ロッド状部材６３と、下端側が扉体の下方へ突出する下側ロッド状部材６４とを備え、扉枠に、上側ロッド状部材と対向する位置に上側受け部７１を形成し、下側ロッド状部材と対向する位置に下側受け部７８を形成し、上側ロッド状部材の上端側に、上側受け部と係合して、扉体をシール部材に押圧可能な上側係合部６８を形成し、下側ロッド状部材の下端側に、下側受け部と係合して、扉体をシール部材に押圧可能な下側係合部７６を形成した。【選択図】図１
2015010364.tif 000002
【特許請求の範囲】
【請求項１】
扉枠に取り付けられて、前記扉枠の開口部を開閉する扉体と、前記扉枠に設けられて、前記扉体による前記開口部の閉鎖時に前記扉体の周縁部に当接して、前記扉枠と前記扉体との間をシールするシール部材と、前記扉体に回動可能に支持されて該扉体の前面及び後面に設けられた貫通孔から突出する操作軸と、前記操作軸の両端部にそれぞれ係合されて該操作軸を回動操作可能なハンドルと、を備えると共に、前記扉体に、前記ハンドルによる前記操作軸の回動操作に伴って前記扉体から突出して、前記扉枠に形成された受け部に係合可能な係合部材を設け、前記係合部材が前記受け部に係合した状態で、前記扉体が前記シール部材を押圧するようにした防水扉装置であって、
前記前面及び後面に設けられた前記貫通孔の一方と前記操作軸との間に、該一方の貫通孔と該操作軸との間の隙間を塞ぐ防水部材を設けて、
前記係合部材として、前記扉体の上下方向に延びて、前記回動操作に伴って上下動可能で上端側が前記扉体の上方へ突出する上側ロッド状部材と、前記上下方向に延びて、前記回動操作に伴って上下動可能で下端側が前記扉体の下方へ突出する下側ロッド状部材と、を備え、
前記扉枠に、前記受け部として、前記上側ロッド状部材と対向する位置に上側受け部を形成し、前記下側ロッド状部材と対向する位置に下側受け部を形成して、
前記上側ロッド状部材の上端側に、前記回動操作に伴って前記上側受け部と係合して、前記扉体を前記シール部材に押圧可能な上側係合部を形成し、下側ロッド状部材の下端側に、前記回動操作に伴って前記下側受け部と係合して、前記扉体を前記シール部材に押圧可能な下側係合部を形成したことを特徴とする防水扉装置。
【請求項２】
前記扉体の内部に、前記操作軸を回動自在に支持する軸受部が設けられたことを特徴とする請求項１に記載の防水扉装置。
【請求項３】
前記一方の貫通孔に対して着脱可能に装着され、前記軸受部が組み込まれて前面に前記操作軸を突出させる開口部を有する装着部材と、
前記扉体の内部に設けられて、該内部で前記装着部材の周囲を支持する支持部材と、を備え、
前記防水部材として、前記装着部材に外装されて該装着部材と前記支持部材との間の隙間を塞ぐ第１の防水部材と、前記開口部に装着されて、該開口部と前記操作軸との間の隙間を塞ぐ第２の防水部材と、を設けたことを特徴とする請求項２に記載の防水扉装置。
【発明の詳細な説明】
【技術分野】
【０００１】
この発明は、扉枠に取り付けられた扉体に、操作軸を回動可能に支持し、操作軸の両端部に、該操作軸を回動操作可能なハンドルを係合させて、扉体に、ハンドルによる操作軸の回動操作に伴って扉体から突出して、前記扉枠に形成された受け部に係合可能な係合部材を設け、係合部材が前記受け部に係合した状態で、扉体が、扉枠と前記扉体との間をシールするシール部材を押圧するようにした防水扉装置に関する。
【背景技術】
【０００２】
例えば特許文献１には、ビル等の出入口に設置して、水害等における浸水を防止するための防水扉装置が開示されている。特許文献１の防水扉装置は、左右に支柱を有する上部開放の扉枠に、扉枠の開口部を開閉自在な扉体を取り付けて、扉体の左右の両側端縁や下端縁にシール部材を設け、扉体に設けられた貫通孔から突出して回動可能な操作軸に係合させたハンドルを回動操作することで、扉体の左右に突出する閂部材が扉枠の受け部に係合したときに、扉体が前記シール部材を介して扉枠に密着するようにしている。これにより、扉枠と扉体の左右の両側端縁や扉枠と扉体の下端縁に隙間が生じないことから、扉枠と扉体との間からの浸水を防止できる。
【先行技術文献】
【特許文献】
【０００３】
【特許文献１】特開平７−２７９５５０号公報
【発明の概要】
【発明が解決しようとする課題】
【０００４】
ところで一般に、上記のような防水扉装置が備える扉体には、この扉体の前面及び後面に、ハンドルを係合させた操作軸を突出させる貫通孔を設けなければならないため、水害等によって貫通孔が水没すると、水が貫通孔を通過して扉体を通り抜けることが考えられる。さらに、特許文献１の防水扉装置では、ハンドルが回動操作されて扉体が扉枠の開口部を開放する開放状態にあるときに垂直姿勢をとると共に扉体が前記開口部を閉鎖する閉鎖状態にあるときに水平姿勢をとる連結板を設けた上で、扉体内の左右両端部に組み込んだ一対の駆動部材に、扉体の外側に突出可能な閂部材を設け、前記連結板の両端部に連結部材の一端を回転自在にそれぞれ連結すると共に、各連結部材の他端を各前記駆動部材の中間部に連結する構造を採用している。このような場合には、ハンドルを回動操作して扉体を閉鎖状態にするときは、閂部材を設けた各駆動部材が、連結板、連結部材を介して扉体の外側に向けて駆動されることから、個々の防水扉装置の大きさに合わせるために、連結板や各種の部材を個別に製作すると、扉枠と扉体との間の隙間を防ぐための構造が複雑かつ高価になることが懸念されていた。
【０００５】
この発明は、このような状況に鑑み提案されたものであって、水が扉体を通り抜けることを抑制すると共に、扉枠と扉体との間の隙間を防ぐための構造が簡単かつ安価な防水扉装置を提供することを目的とする。
【課題を解決するための手段】
【０００６】
請求項１の発明に係る防水扉装置は、扉枠に取り付けられて、前記扉枠の開口部を開閉する扉体と、前記扉枠に設けられて、前記扉体による前記開口部の閉鎖時に前記扉体の周縁部に当接して、前記扉枠と前記扉体との間をシールするシール部材と、前記扉体に回動可能に支持されて該扉体の前面及び後面に設けられた貫通孔から突出する操作軸と、前記操作軸の両端部にそれぞれ係合されて該操作軸を回動操作可能なハンドルと、を備えると共に、前記扉体に、前記ハンドルによる前記操作軸の回動操作に伴って前記扉体から突出して、前記扉枠に形成された受け部に係合可能な係合部材を設け、前記係合部材が前記受け部に係合した状態で、前記扉体が前記シール部材を押圧するようにした防水扉装置であって、前記前面及び後面に設けられた前記貫通孔の一方と前記操作軸との間に、該一方の貫通孔と該操作軸との間の隙間を塞ぐ防水部材を設けて、前記係合部材として、前記扉体の上下方向に延びて、前記回動操作に伴って上下動可能で上端側が前記扉体の上方へ突出する上側ロッド状部材と、前記上下方向に延びて、前記回動操作に伴って上下動可能で下端側が前記扉体の下方へ突出する下側ロッド状部材と、を備え、前記扉枠に、前記受け部として、前記上側ロッド状部材と対向する位置に上側受け部を形成し、前記下側ロッド状部材と対向する位置に下側受け部を形成して、前記上側ロッド状部材の上端側に、前記回動操作に伴って前記上側受け部と係合して、前記扉体を前記シール部材に押圧可能な上側係合部を形成し、下側ロッド状部材の下端側に、前記回動操作に伴って前記下側受け部と係合して、前記扉体を前記シール部材に押圧可能な下側係合部を形成したことを特徴とする。
【０００７】
請求項２の発明は、請求項１において、前記扉体の内部に、前記操作軸を回動自在に支持する軸受部が設けられたことを特徴とする。
【０００８】
請求項３の発明は、請求項２において、前記一方の貫通孔に対して着脱可能に装着され、前記軸受部が組み込まれて前面に前記操作軸を突出させる開口部を有する装着部材と、前記扉体の内部に設けられて、該内部で前記装着部材の周囲を支持する支持部材と、を備え、前記防水部材として、前記装着部材に外装されて該装着部材と前記支持部材との間の隙間を塞ぐ第１の防水部材と、前記開口部に装着されて、該開口部と前記操作軸との間の隙間を塞ぐ第２の防水部材と、を設けたことを特徴とする。
【発明の効果】
【０００９】
請求項１の発明に係る防水扉装置によれば、防水部材によって、操作軸が突出する一方の貫通孔と該操作軸との間の隙間を塞ぐことで、この隙間からの浸水を抑制できる。したがって、扉体で扉枠の開口部を閉鎖した状態では、水がこの隙間を通過して扉体を通り抜けることを抑制できる。
さらに、ハンドルの回動操作に伴って上下動する上側ロッド状部材の上端側に形成した上側係合部を、扉枠の上側受け部に係合させて、扉体を、扉枠に設けられたシール部材に押圧すると共に、前記回動操作に伴って上下動する下側ロッド状部材の下端側に形成した下側係合部を、扉枠の下側受け部に係合させて、扉体を前記シール部材に押圧するという簡単な構造で、安価に扉枠と扉体との間に隙間が生じることを防止できる。
請求項２の発明によれば、ハンドルによる操作軸の回動操作の際には、軸受部によって、操作軸と扉体との間の摩擦を低減できる。よって、扉体に対する操作軸の回動操作が円滑になる。
請求項３の発明によれば、第１の防水部材によって、一方の貫通孔に装着された装着部材と、扉体の内部で装着部材の周囲を支持する支持部材との間の隙間を塞ぐことで、この隙間からの浸水を抑制できる。加えて、第２の防水部材によって、操作軸を突出させる開口部と該操作軸との間の隙間を塞ぐことで、この隙間からの浸水も抑制できる。しかも、第１及び第２の防水部材は、一方の貫通孔に対して着脱可能な装着部材に設けられていることから、装着部材を一方の貫通孔から取り外した状態で、第１及び第２の防水部材の点検や交換を行うことができる。したがって、各防水部材の点検や交換が容易になる。
【図面の簡単な説明】
【００１０】
【図１】本発明の実施形態の防止扉装置の正面図である。
【図２】図１のＸ−Ｘ線要部断面図である。
【図３】図１のＹ−Ｙ線要部断面図である。
【図４】図２中のＡ部の概略拡大断面図である。
【発明を実施するための形態】
【００１１】
本発明の実施形態を図１ないし図４を参照しつつ説明する。図１ないし図３に示すように防水扉装置１は、例えば建物２に設置される扉枠３と、扉枠３の開口部４を開閉可能な扉体５とを備えている。図１に示すように扉枠３は、縦長で四角形の枠状に形成されて、左右の側枠７，８と、上枠９と、下枠１０とを有する。そして各枠７〜１０の内側に、建物２の外部１１（図２及び図３参照。）と内部１２（同図参照。）との間で人が出入りする空間として開口部４が形成されている。図２ないし図４に示すように、各枠７〜１０の内面で建物２の内部側に、シール用のパッキン１３が配設されている。
【００１２】
また扉体５は、側枠７の上下方向（図１の上下方向）の２箇所に設けたヒンジ部材１４，１５を介して側枠７に回動可能に取り付けられている。この扉体５の建物２の内部側の周縁部には、パッキン押え部材１７（図４参照。）が該建物２の内部側へ突設されている。人が、扉体５の建物内部側ハンドル２８（図２参照。）を持って扉体５を開口部４に向けて回動させることで、図２及び図３に示すように扉体５は開口部４に嵌まり込んで該開口部４を閉鎖する。このとき、図４に示すようにパッキン押え部材１７はパッキン１３に押し付けられる。なお、パッキン１３は本発明のシール部材の一例である。
【００１３】
図１及び図３に示すように、扉体５には施錠装置２０が設けられている。本実施形態では、扉体５の幅方向（図１の左右方向）の両端側に施錠装置２０が設けられている。図４に示すように各施錠装置２０は、装着部材２１と、すべり軸受２２と、Ｏリング２３，２４と、支持部材２５と、建物内部側操作軸２６と、建物外部側操作軸２７と、建物内部側ハンドル２８と、建物外部側ハンドル２９と、施錠装置本体３０（以下「装置本体３０」という）とを備えている。
【００１４】
図１及び図４に示すように、扉体５の幅方向両端側で建物内部側の表面５Ａには、扉体５の内部と外部とを連通させる第１貫通孔３１が形成されている。この第１貫通孔３１には装着部材２１が装着可能とされている。装着部材２１は、扉体５の前後方向（図４の上下方向）に延びる略円柱状で、該前後方向で建物２の内部側の端部に円板状のフランジ３３が周設されている。本実施形態では、図４に示すように装着部材２１は、フランジ３３を前記表面５Ａに当接させた状態で第１貫通孔３１から扉体５の内部に挿入されている。この装着部材２１の外面にはＯリング２３が外装されている。そして、この装着部材２１には、該装着部材２１を前記前後方向に貫通する第２貫通孔３５が形成されている。この第２貫通孔３５には、前記前後方向で建物２の外部側の端部から建物２の内部側の端部よりも手前にかけてすべり軸受２２が組み込まれている。さらに前記前後方向で第２貫通孔３５における建物２の内部側の端部にはＯリング２４が装着されている。またフランジ３３には、該フランジ３３の建物２の内部側を開口させた凹部３７と、この凹部３７に連通して該フランジ３３を前後方向に貫通するねじ孔３８とが、フランジ３３の周方向に間隔をおいて複数形成されている。
【００１５】
また図４に示すように扉体５の内部には、該内部で装着部材２１を支持する支持部材２５が配設されている。ここでは、支持部材２５を、扉体５の建物２の内部側の裏面５Ｂに溶接固定した。この支持部材２５は、環状に形成されて、支持部材２５には、扉体５の前後方向で該支持部材２５を貫通して装着部材２１が嵌合する嵌合孔４１が設けられている。さらに支持部材２５には、該支持部材２５の建物２の内部側を開口させたねじ穴４２が形成されている。このねじ穴４２は、支持部材２５の周方向に間隔をおいて複数形成されている。図４に示すように装着部材２１が嵌合孔４１に嵌合した状態では、各ねじ穴４２の中心軸線と、フランジ３３のねじ孔３８の中心軸線とが一致するようにした。そして、扉体５の表面５Ａに、扉体５の内部と外部とを連通させる貫通孔４３を複数開口させて、各貫通孔４３の中心軸線を、各ねじ孔３８及び各ねじ穴４２の中心軸線と一致するようにした。よって、ねじ部材４４の頭部が凹部３７に嵌合するまでねじ部材４４をねじ送り移動させて、ねじ部材４４を、ねじ孔３８及ねじ孔４２に螺合させることができる。これにより、装着部材２１の周囲を支持部材２５の嵌合孔４１に支持させた状態で、装着部材２１を、扉体５の表面５Ａを介して支持部材２５にねじ止めできる。このときＯリング２３は、装着部材２１の周囲と嵌合孔４１の内面とに挟まれて、前記周囲と前記内面とに押し付けられる。その結果Ｏリング２３は、装着部材２１と嵌合孔４１との間の隙間を塞ぐことができる。一方、ねじ孔３８及ねじ孔４２に対するねじ部材４４の螺合を解除すると、装着部材２１を、第１貫通孔３１を介して嵌合孔４１から取り外すことが可能になる。このように、装着部材２１は第１貫通孔３１に対して着脱可能である。なお、第１貫通孔３１は本発明の一方の貫通孔の一例であり、Ｏリング２３は本発明の第１の防水部材の一例である。また、扉体５の建物２の内部側の表面５Ａは本発明の扉体の後面の一例である。
【００１６】
さらに図４に示すようにすべり軸受２２には、建物内部側操作軸２６（以下「操作軸２６」という）が回動自在に支持されている。この操作軸２６は、円柱状の軸部４７の前端面に角柱状の軸部４８を突設させた形状とされている。ここでは軸部４８を、第２貫通孔３５の建物２の内部側の端部の開口５０から突出させて、軸部４７をすべり軸受２２に回動自在に支持させた。第２貫通孔３５の建物２の内部側の端部では、軸部４７の周囲と第２貫通孔３５の内面との間にＯリング２４が挟まれている。このＯリング２４は、前記周囲と前記内面とに押し付けられることで、開口５０と軸部４７との間の隙間を塞ぐことができる。そして軸部４８は、建物内部側ハンドル２８（以下「ハンドル２８」という）の係合凹部５２に収容される。これにより、ハンドル２８を操作軸２６と係合させることでき、ハンドル２８によって操作軸２６の回動操作が可能になる。また、軸部４７の後端には、該軸部４７の後端面に開口する嵌合凹部５３が形成されている。なお、すべり軸受２２は本発明の軸受部の一例であり、Ｏリング２４は本発明の第２の防水部材の一例である。また、開口５０は本発明の装着部材が有する開口部の一例である。
【００１７】
一方図４に示すように建物外部側操作軸２７（以下「操作軸２７」という）は、角柱状とされて扉体５の建物２の外部側の表面５Ｃに開口して扉体５の内部と外部とを連通させる第３貫通孔５５から突出する。この第３貫通孔５５は、第１貫通孔３１と同様に扉体５の幅方向両側で前記表面５Ｃに開口する。操作軸２７の前方側（図４の上側）は、建物外部側ハンドル２９（以下「ハンドル２９」という）の係合凹部５６に収容される。これにより、ハンドル２９を操作軸２７と係合させることができる。また、操作軸２７の後端（図４の下側）は、扉体５の内部で上記の嵌合凹部５３に嵌合する。したがって、ハンドル２９によって操作軸２７は、回動自在な操作軸２６と共に回動操作が可能になる。なお、扉体５の建物２の外部側の表面５Ｃは本発明の扉体の前面の一例である。
【００１８】
図４に示すように固定部材６１は、装置本体３０の上面の開口の一部を塞ぐように扉体５の内側面に固定されている。この固定部材６１の上面には、扉体５の上下方向（図４の手前奥方向）に延びるガイドレール６６が立設されている。また連動部材６２は、前記上下方向に延びるスライド溝６７を備えている。このスライド溝６７は、ガイドレール６６に摺動自在に嵌まるようになっている。加えて連動部材６２には、図１、図３及び図４に示すように、該連動部材６２から扉体５の上方向に延びる上側ロッド状部材６３が連結されている。施錠装置２０を作動させない常態では、図３に示すように上側ロッド状部材６３の上端部は扉体５内に位置する。この上側ロッド状部材６３の上端部には上側係合部６８が設けられている。この上側係合部６８は、上端に進むに従って扉体５の建物内部側へ傾斜して先細り状となる傾斜面を有する。この上側係合部６８に対向させて、扉体５の上面には、扉体５の内部と外部とを連通させる上側貫通孔７０（図１参照。）が形成されている。さらに図１に示すように扉枠３の上枠９には、上側貫通孔７０を挟んで上側係合部６８と対向する位置に、上側係合穴７１が形成されている。
【００１９】
また装置本体３０の内部には、操作軸２７が固定された回動部材（図示せず。）が配設されている。この回動部材には、操作軸２７が回動すると扉体５の上下方向に移動する第１移動部材（図示せず。）が係止されている。そして、この第１移動部材は上述の連動部材６２に係合されている。したがって、例えばハンドル２８によって、操作軸２６と共に操作軸２７を回動操作すると、第１移動部材の上下動に伴って、図４に示す連動部材６２のスライド溝６７がガイドレール６６に沿って摺動する。その結果、連結部材６２に固定された上側ロッド状部材６３も上下動可能となり、上側ロッド状部材６３の上側係合部６８を上側貫通孔７０に出没させることが可能になる。上側貫通孔７０から扉体５の上方へ突出した上側係合部６８は、図１に示す上側係合穴７１に係合可能とされている。なお、上側係合穴７１は本発明の上側受け部の一例である。
【００２０】
さらに、上述した操作軸２７が固定された回動部材にはデッドボルト７３（図１及び図４参照。）が係止されている。このデッドボルト７３も、操作軸２７の回動に伴って扉体５の側面に出没させることが可能である。図１及び図４に示すように、前記側面から突出したデッドボルト７３は、側枠７，８に形成した係合凹部７４に係合可能とされている。
【００２１】
図４には一方の固定部材６１が装置本体３０の上面の開口の一部を塞ぐ例を示したが、これに加えて他方の固定部材６１は、装置本体３０の下面の開口の一部を塞ぐように扉体５の内側面に固定されている。他方の固定部材６１の下面には、図４と同様の形状を有するガイドレール６６が、扉体の上下方向（図１及び図３の上下方向）で該固定部材６１の下方に向けて延設されている。加えて図４と同様の形状を有する他方の連動部材６２に、該連動部材６２から扉体５の下方向に延びる下側ロッド状部材６４が連結されている。施錠装置２０を作動させない常態では、図３に示すように下側ロッド状部材６４の下端部は扉体５内に位置する。この下側ロッド状部材６４の下端部には下側係合部７６が設けられている。この下側係合部７６も上側係合部６８と同様の形状を有する。そして下側係合部７６に対向させて、扉体５の下面には、扉体５の内部と外部とを連通させる下側貫通孔７７（図１参照。）が形成されている。さらに図１に示すように扉枠３の下枠１０には、下側貫通孔７７を挟んで下側係合部７６と対向する位置に、下側係合穴７８が形成されている。
【００２２】
また、上述の操作軸２７が固定された回動部材には、操作軸２７が回動すると、上記の第１移動部材の移動方向とは反対方向で扉体５の上下方向に移動する第２移動部材（図示せず。）が係止されている。この第２移動部材は、下側ロッド状部材６４を連結した他方の連動部材６２に係合されている。よって、例えばハンドル２８によって、操作軸２６と共に操作軸２７を回動操作すると、第２移動部材の上下動に伴って、下側ロッド状部材６４を連結した他方の連動部材６２も上下動可能となる。このことから、下側ロッド状部材６４の下側係合部７６を下側貫通孔７７に出没させることが可能になる。下側貫通孔７７から扉体５の下方に突出した下側係合部７６は、図１に示す下側係合穴７８に係合可能とされている。なお、下側係合穴７８は本発明の下側受け部の一例である。
【００２３】
次に、施錠装置２０を作動させて扉体５が扉枠３の開口部４を閉鎖する閉鎖状態にする動作を説明する。例えば図２中の二点鎖線で示したように、扉体５が開口部４を開放しているときは、人がハンドル２８を持って扉体５を開口部４に向けて回動させる。そして、各枠７〜１０の内面に配設したパッキン１３（図２及び図３参照。）に扉体５のパッキン押え部材１７（図４参照。）が当接するように扉体５を開口部４に嵌め込む。
【００２４】
続いて、人が各ハンドル２８を操作して扉体５のロック位置に回動させることで、操作軸２６と共に操作軸２７が回動すると、上側ロッド状部材６３が、扉体５の上方向に向けて移動すると共に、下側ロッド状部材６４が、扉体５の下方向に向けて移動する。その結果、上側ロッド状部材６３の上側係合部６８は、上側貫通孔７０から扉体５の上方へ突出して上側係合穴７１に係合し、下側ロッド状部材６４の下側係合部７６は、下側貫通孔７７から扉体５の下方へ突出して下側係合穴７８に係合する。その際には、上側係合部６８の傾斜面が、上側係合穴７１の入口部に乗り上げるようにして上側係合穴７１の入口に向けて移動すると共に、下側係合部７６の傾斜面が、下側係合穴７８の入口部に乗り上げるようにして下側係合穴７８の入口に向けて移動する。このようにしたことで上側係合部６８は、上側係合穴７１に進入した後に、扉体５を建物２の内部側に向けて移動させる。加えて下側係合穴７８に進入した下側係合部７６についても、扉体５を建物２の内部側に向けて移動させる。これらのことから図４に示すように、扉体５のパッキン押え部材１７をパッキン１３に押圧できる。その結果、パッキン１３が弾性変形してパッキン押え部材１７と密着する。したがって、各枠７〜１０のパッキン１３と扉体５のパッキン押え部材１７との間をシールできる。よって、閉鎖状態では扉体５と扉枠３（各枠７〜１０）との間からの浸水を防止できる。そして、本実施形態のように、上側ロッド状部材６３の上側係合部６８を上側係合穴７１に係合させると共に、下側ロッド状部材６４の下側係合部７６を下側係合穴７８に係合させて、扉体５のパッキン押え部材１７をパッキン１３に押圧するという簡単な構造を採用したことで、安価に各枠７〜１０のパッキン１３と扉体５のパッキン押え部材１７との間をシールできる。
【００２５】
さらに本実施形態では、図４に示すように、Ｏリング２３によって、第１貫通孔３１に装着された装着部材２１の周囲と嵌合孔４１の内面との間の隙間を塞ぐことができる。加えて、Ｏリング２４によって、第２貫通孔３５の建物２の内部側の端部の開口５０と操作軸２６（軸部４７）との間の隙間を塞ぐことができる。これらのことから、操作軸２６を扉体５の表面５Ａから突出させるために、開口部分（第１貫通孔３１、開口５０）を設けた場合でも、これらの開口部分からの浸水を抑制できる。例えば、開口部４の閉鎖状態において水害等でハンドル２９（第３貫通孔５５）が水没したことで、仮に第３貫通孔５５から扉体５の内部に浸水した場合でも、Ｏリング２３，２４によって、扉体５の内部に浸入した水が、前記開口部分から扉枠３の建物２の内部側へ浸入することを抑制できる。
【００２６】
また、図４に示すねじ孔３８，４２に対するねじ部材４４の螺合を解除すれば、装着部材２１を、第１貫通孔３１を介して嵌合孔４１から取り外すことができる。この装着部材２１にはＯリング２３が外装されていると共に、装着部材２１の第２貫通孔３５における建物２の内部側の端部にＯリング２４が装着されていることから、装着部材２１を嵌合孔４１から取り外した状態で、Ｏリング２３，２４の点検や交換を行うことができる。したがって、Ｏリング２３，２４の点検や交換が容易になる。
【００２７】
＜本実施形態の効果＞
本実施形態の防水扉装置１では、人が各ハンドル２８を操作して扉体５のロック位置に回動させることで、上側ロッド状部材６３の上側係合部６８を上側係合穴７１に係合させると共に、下側ロッド状部材６４の下側係合部７６を下側係合穴７８に係合させて、扉体５のパッキン押え部材１７をパッキン１３に押圧するという簡単な構造を採用したことで、安価に各枠７〜１０のパッキン１３と扉体５のパッキン押え部材１７との間をシールできる。
【００２８】
また、人がハンドル２８をロック位置等に回動させる際には、すべり軸受２２によって、ハンドル２８に係合させた操作軸２６と扉体５との間の摩擦を低減できる。よって、扉体５に対する操作軸２６の回動操作が円滑になる。
【００２９】
さらに、Ｏリング２３によって、第１貫通孔３１に装着された装着部材２１の周囲と、支持部材２５の嵌合孔４１の内面との間の隙間を塞ぐことで、この隙間からの浸水を抑制できる。加えて、Ｏリング２４によって、開口５０と操作軸２６（軸部４７）との間の隙間を塞ぐことで、この隙間からの浸水も防止できる。しかも、Ｏリング２３，２４は、第１貫通孔３１に対して着脱可能な装着部材２１に設けられていることから、装着部材２１を第１貫通孔３１から取り外した状態で、Ｏリング２３，２４の点検や交換を行うことができる。したがって、Ｏリング２３，２４の点検や交換が容易になる。
【００３０】
本発明は、上述した実施形態に限定されるものではなく発明の趣旨を逸脱しない範囲内において構成の一部を適宜変更して実施できる。上述した実施形態では、操作軸２６（軸部４７）をすべり軸受２２に回動自在に支持させたが、これに代えて、操作軸２６（軸部４７）をころ軸受に回動自在に支持させてもよい。
【００３１】
また、上述した実施形態とは異なり、図４に示す第３貫通孔５５と操作軸２７との間の隙間を塞ぐようにＯリングを設けてもよい。このようにすることで、開口部４の閉鎖状態において水害等でハンドル２９（第３貫通孔５５）が水没した場合でも、第３貫通孔５５と操作軸２７との間の隙間からの浸水を抑制できる。その結果、扉体５の内部への浸水を抑制できることから、開口部４の閉鎖状態では、扉体５の内部から扉枠３の建物２の内部側への浸水も抑制できる。さらに、操作軸２６は、円柱状の軸部４７に角柱状の軸部４８を突設させた形状とすることに限らず、円柱形状としてもよい。加えて、操作軸２６と操作軸２７を例えば単一の円柱形部材で構成し、扉体５から突出させた円柱状部材の両端部にハンドルを係合させてもよい。さらに加えて装置本体３０，３０の一方又は双方に、例えば側枠７，８の一方又は双方に係合可能なデッドボルトを有するサムターン錠を追加してもよい。さらには、Ｏリング２４に代えてＸリングを、第２貫通孔３５における建物２の内部側の端部に装着してもよい。
【符号の説明】
【００３２】
１・・防水扉装置、３・・扉枠、４・・扉枠の開口部、５・・扉体、５Ａ・・扉体の建物内部側の表面、５Ｃ・・扉体の建物外部側の表面、１３・・パッキン、２１・・装着部材、２２・・すべり軸受、２３，２４・・Ｏリング、２５・・支持部材、２６・・建物内部側操作軸、２７・・建物外部側操作軸、２８・・建物内部側ハンドル、２９・・建物外部側ハンドル、３１・・第１貫通孔、３５・・第２貫通孔、５０・・第２貫通孔の建物内部側の端部の開口、６３・・上側ロッド状部材、６４・・下側ロッド状部材、６８・・上側係合部、７１・・上側係合穴、７６・・下側係合部、７８・・下側係合穴。
【図１】
2015010364.tif 000003
【図２】
2015010364.tif 000004
【図３】
2015010364.tif 000005
【図４】
2015010364.tif 000006